(57)【要約】      （修正有）【課題】特に扉を上方へ持ち上げて開けると、主台が連動して上昇するパソコンデスクの開閉装置を提供する。【解決手段】ベース１０と、主動部材組２０と、従動部材組３０と、シリンダ４０とを有し、ベース１０は、両側に夫々設けられるサイドプレート１３と、各サイドプレートの内面の対向する位置に夫々形成される摺動溝１６とを備え、主動部材組２０は、ベース板２１と、ベース板２１の両側に夫々設けられるアーム２２と、アーム２２を貫通するように、ベース１０のサイドプレート１３に枢設される軸２３とを備え、従動部材組３０は、一側が主動部材組２０のアーム２２に枢設されると共に、他側がベース１０の摺動溝１６に摺動可能に設置される従動板３１を備え、シリンダ４０は、一端がベース１０に取り付けられる円筒部４１と、円筒部４１の他端に設けられると共に、伸縮可能に従動板３１の底面に連結される伸縮軸４２とを備える。【選択図】図１
2013063270.tif 000002
【特許請求の範囲】
【請求項１】
両側に夫々設けられるサイドプレートと、該各サイドプレートの内面の対向する位置に夫々形成される摺動溝とを備えるベースと、
ベース板と、該ベース板の両側に夫々設けられるアームと、該アームを貫通するように、前記ベースのサイドプレートに枢設される軸とを備える主動部材組と、
一側が前記主動部材組のアームに枢設されると共に、他側が前記ベースの摺動溝に摺動可能に設置される従動板を備える従動部材組と、
一端が前記ベースに取り付けられる円筒部と、該円筒部の他端に設けられると共に、伸縮可能に前記従動板の底面に連結される伸縮軸とを備えるシリンダと、
を有することを特徴とするパソコンデスクの開閉装置。
【請求項２】
前記ベースは、収容空間を備え、フロントプレートと、該フロントプレートと相対するバックプレートと、該フロントプレートとバックプレートとの間の両側に夫々設けられるサイドプレートと、上部に形成される開口と、該フロントプレートからバックプレートに向って斜め下方に延設される傾斜部と、該各サイドプレートにおける、傾斜部の近傍に位置する摺動溝とを備え、
前記円筒部の一端が前記ベースのバックプレートに取り付けられることを特徴とする請求項１に記載のパソコンデスクの開閉装置。
【請求項３】
さらに、開閉部材組を有し、該開閉部材組は、中央部に前記ベースの開口と連通する穴が形成されるように、該ベースの上部に設置されるロ字形板と、前記主動部材組のベース板に設けられる扉と、前記従動部材組の従動板に設けられる主台とを備え、
また、前記従動部材組における、アームと従動板とが枢設される側に、主台の上方へ突出する阻止部材が延設されることを特徴とする請求項２に記載のパソコンデスクの開閉装置。
【請求項４】
前記扉に掛止部材が取り付けられると共に、前記ベースのフロントプレートに、該掛止部材と対応する位置決め部材が設けられることを特徴とする請求項３に記載のパソコンデスクの開閉装置。
【請求項５】
前記扉にロックプレートが設けられると共に、前記ベースのフロントプレートにロック部材が設けられ、該ロック部材にロック穴が形成され、該ロック部材にロックプレートと対応するフックが設けられることを特徴とする請求項３または請求項４に記載のパソコンデスクの開閉装置。
【請求項６】
前記従動板の一側の両端に夫々、前記ベースの摺動溝に沿って摺動する摺動部材が設けられることを特徴とする請求項１乃至請求項５の何れか１項に記載のパソコンデスクの開閉装置。
【請求項７】
前記主動部材組のベース板にモニタ用の固定ユニットが取り付けられることを特徴とする請求項１乃至請求項６の何れか１項に記載のパソコンデスクの開閉装置。
【発明の詳細な説明】
【技術分野】
【０００１】
本発明は、特に扉を上方へ開くと、それに連動して主台が浮き上がるデスクに関するものである。
【背景技術】
【０００２】
従来の開閉式デスクは、ベースに扉が枢設されると共に、ベースの内部に主台が上下移動可能に設置され、該ベース内に電源と接続可能な駆動装置が取り付けられ、この駆動装置に上昇軸が設けられ、上昇軸の一端が主台の底面に連結され、駆動装置のスイッチがベースの外部に取り付けられる構成を有する。
【０００３】
パソコンをデスクに配置する時は、モニタを扉の内面に配置すると共に、主台にキーボード及びマウスを配置し、使用時に、扉を上方へ開き、モニタを傾斜状に持ち上げて、スイッチを押して駆動装置を駆動させると、上昇軸が伸長して主台が上昇し、パソコンを使用することができる。また、パソコンを使用しない時には、扉及び主台を折り畳んでベースに収納することにより、空間を節約することができるので、利便性が高い。
【０００４】
既存のパソコンデスクは、文献１に示すように、モニタがベースの一側に設置されると共に、中央に開閉可能な扉が枢設され、他側にキーボードが摺動可能に設置され、使用する時は、単に扉を枢転させて開けばよい。この構成によれば、扉の内面に書類などを放置することができるので、使用者はモニタ及び書類を見ながら、キーボードを操作することができる。
【先行技術文献】
【特許文献】
【０００５】
【特許文献１】台湾実用新案第０９１２０９００６号
【発明の概要】
【発明が解決しようとする課題】
【０００６】
しかしながら、従来の開閉式デスクにおいては、扉を開く動作と、主台の上昇とが別々に作動し、例えば、扉を上方へ枢転させて開く時、主台は扉と連動していないことから、駆動装置を駆動させなれば主台を上昇させることができなく、更に、駆動装置の駆動にも電力を消耗するので、実用的ではなかった。その上、従来の開閉式デスクは、駆動装置を備えるので、駆動装置のコストだけではなく、メンテナンス費用も懸かっていたので、改良する必要があった。
【課題を解決するための手段】
【０００７】
本発明に係るパソコンデスクの開閉装置は、両側に夫々設けられるサイドプレートと、該各サイドプレートの内面の対向する位置に夫々形成される摺動溝とを備えるベースと、
ベース板と、該ベース板の両側に夫々設けられるアームと、該アームを貫通するように、前記ベースのサイドプレートに枢設される軸とを備える主動部材組と、
一側が前記主動部材組のアームに枢設されると共に、他側が前記ベースの摺動溝に摺動可能に設置される従動板を備える従動部材組と、
一端が前記ベースに取り付けられる円筒部と、該円筒部の他端に設けられると共に、伸縮可能に前記従動板の底面に連結される伸縮軸とを備えるシリンダと、を有するものである。
【０００８】
また、係るパソコンデスクの開閉装置において、前記ベースは、収容空間を備え、フロントプレートと、該フロントプレートと相対するバックプレートと、該フロントプレートとバックプレートとの間の両側にそれぞれ設けられるサイドプレートと、上部に形成される開口と、該フロントプレートからバックプレートに向って斜め下方に延設される傾斜部と、該各サイドプレートにおける、傾斜部の近傍に位置する摺動溝とを備え、前記円筒部の一端が前記ベースのバックプレートに取り付けられることが好ましい。
【０００９】
さらに、係るパソコンデスクの開閉装置において、開閉部材組を有し、該開閉部材組は、中央部に前記ベースの開口と連通する穴が形成されるように、該ベースの上部に設置されるロ字形板と、前記主動部材組のベース板に設けられる扉と、前記従動部材組の従動板に設けられる主台とを備え、また前記従動部材組における、アームと従動板とが枢設される側に、主台の上方へ突出する阻止部材が延設されることが好ましい。
【００１０】
また、係るパソコンデスクの開閉装置において、前記扉に掛止部材が取り付けられると共に、前記ベースのフロントプレートに、該掛止部材と対応する位置決め部材が設けられることが好ましい。
【００１１】
また、係るパソコンデスクの開閉装置において、前記扉にロックプレートが設けられると共に、前記ベースのフロントプレートにロック部材が設けられ、該ロック部材にロック穴が形成され、該ロック部材にロックプレートと対応するフックが設けられることが好ましい。
【００１２】
また、係るパソコンデスクの開閉装置において、前記従動板の一側の両端に夫々、前記ベースの摺動溝に沿って摺動する摺動部材が設けられることが好ましい。
【００１３】
また、係るパソコンデスクの開閉装置において、前記主動部材組のベース板にモニタ用の固定ユニットが取り付けられることが好ましい。
【発明の効果】
【００１４】
本発明は上記の構成を有するので、パソコンデスクを使用する時、扉を上に向かって開くと、従動部材組が主動部材組のアームと共に上昇すると共に、従動板の摺動部材がサイドプレートの摺動溝に沿って上方へ摺動し、シリンダが従動部材組を押し上げる。
【００１５】
一方、パソコンデスクを収容する時は、扉を下方へ閉じると、従動部材組の従動板が主動部材組のアームと共に下降し、従動板の摺動部材がサイドプレートの摺動溝に沿って下方へ摺動することによって、主台が従動板と共にベースの収容空間に収納される。
【００１６】
上述したように、本発明に係るパソコンデスクの開閉装置は、扉に主台が連動することから、使用上、非常に便利であり、また、ベースに駆動装置を設ける必要がないことから、電力を消耗しないので、製造コストやメンテナンスのコストを節約することができる。
【図面の簡単な説明】
【００１７】
【図１】本発明に係るパソコンデスクの開閉装置の分解斜視図。
【図２】本発明に係るパソコンデスクの開閉装置の斜視図。
【図３】本発明に係るパソコンデスクの開閉装置が開いた状態を示す側面断面図。
【図４】本発明に係るパソコンデスクの開閉装置が閉じた状態を示す側面断面図。
【図５】本発明に係るパソコンデスクの開閉装置において、フックがロックプレートと掛合する作動状態を示す部分拡大側面図。
【図６】本発明に係るパソコンデスクの開閉装置の正面図。
【図７】本発明に係るパソコンデスクの開閉装置の使用状態を示す部分断面図。
【発明を実施するための形態】
【００１８】
以下、添付図面を参照して本発明の好適な実施の形態を詳細に説明する。尚、下記実施例は、本発明の好適な実施の形態を示したものに過ぎず、本発明の技術的範囲は、下記実施例そのものに何ら限定されるものではない。
【００１９】
図１及び図２に示すように、本発明に係るパソコンデスクの開閉装置は、ベース１０と、主動部材組２０と、従動部材組３０と、シリンダ４０とを有し、その内、該ベース１０は、収容空間を備え、フロントプレート１１と、該フロントプレート１１と相対するバックプレート１２と、該フロントプレート１１とバックプレート１２との間の両側に夫々設けられるサイドプレート１３と、上部に形成される開口１４と、該フロントプレート１１からバックプレート１２に向って斜め下方に延設される傾斜部１５と、該各サイドプレート１３の両側における、傾斜部１５の近傍に位置すると共に、夫々対向するように形成される傾斜状の摺動溝１６と、該摺動溝１６の上端に水平方向に延出する止め部（図４の如く）とを備える。
【００２０】
前記主動部材組２０は、ベース１０に枢設され、ベース板２１と、該ベース板２１の両側に夫々設けられる三角形またはＬ字形のアーム２２と、それらアーム２２の中央の位置（即ち、三角形の頂角近傍）またはコーナー近傍を貫通するように、ベース１０におけるサイドプレート１３の一側に枢設される軸２３とを備える。
【００２１】
前記従動部材組３０は、ベース１０の収容空間に上下移動可能に設置され、一側が主動部材組２０のアーム２２に枢設される従動板３１と、該従動板３１の他側の両端に夫々取り付けられると共に、ベース１０の摺動溝１６に沿って摺動可能に設置される摺動部材３２とを備える。
【００２２】
前記シリンダ４０は、ベース１０と従動部材３０とに連結するように、該ベース１０の収容空間に設置され、一端がベース１０のバックプレート１２に取り付けられる円筒部４１と、該円筒部４１の他端に設けられると共に、伸縮可能に従動板３１の底面に連結される、従動板３１の上昇および下降を制御する伸縮軸４２とを備える。
【００２３】
更に、本発明に係るパソコンデスクの開閉装置は、開閉部材組５０を有し、該開閉部材組５０は、ベース１０の上部に設置されると共に、中央部にベース１０の開口１４と連通する穴が形成されるロ字形板５１と、主動部材組２０のベース板２１に設けられる扉５２と、従動部材組３０の従動板３１に設けられる主台５３とを備える。尚、指で簡単に扉５２を開けられるようにするために、該扉５２の上側、即ち、扉５２における、フロントプレート１１の近傍の一側に凹部が形成されてもよい。また、前記従動部材組３０における従動板３１のアーム２２と従動板３１とが枢設する一側に、主台５３の上方へ突出する阻止部材３３が延設される。
【００２４】
前記開閉部材組５０は、扉５２の内面一側に掛止部材５４が取り付けられると共に、ベース１０のフロントプレート１１に、該掛止部材５４と対応する位置決め部材５５が設けられ、該扉５２の内面他側にＵ字形のロックプレート５６が設けられ、該ベース１０のフロントプレート１１にロック部材５７が設けられ、更に、該ロック部材５７にロック穴５８が形成されると共に、ロックプレート５６と対応するフック５９が設けられる。
【００２５】
図６に示すように、前記主動部材組２０のベース板２１における、扉５２と反対する側にモニタ用の固定ユニット６０が設けられ、該固定ユニット６０に複数の固定孔６１が形成される。
【００２６】
尚、図１及び図２に示すように、本発明に係る開閉装置は、開閉部材組５０のロ字形板５１の底面に複数の足部９０が取り付けられても良い。
【００２７】
図３に示すように、本発明に係るパソコンデスクの開閉装置を開けて使用する時は、先ず扉５２を押し込んで、該扉５２上の掛止部材５４をベース１０上の位置決め部材５５から離脱させて扉５２をやや上方へ移動させてから、指を扉５２の凹部に引っ掛けて、扉５２を上方に向かって開ける。そして、扉５２と共に主動部材組２０を上方へ移動させ、その主動部材組２０に連動させてアーム２２で従動部材組３０の従動板３１を上昇させる。この時、該従動板３１の摺動部材３２がサイドプレート１３の摺動溝１６に沿って上方へ摺動すると共に、シリンダ４０が従動部材組３０を押し上げ、主台５３がロ字形板５１と同一平面上に位置する。
【００２８】
一方、図４に示すように、本発明に係るパソコンデスクの開閉装置を閉じる時は、扉５２を下方へ押し込んで閉じ、それに伴ない主動部材組２０のベース板２１及びアーム２２を下方へ移動させると共に、アーム２２と共に従動部材組３０の従動板３１を下方へ移動させ、また、従動板３１の摺動部材３２をサイドプレート１３の摺動溝１６に沿って下方へ摺動させる。これにより、扉５２がロ字形板５１と同一平面上に位置し、主台５３が従動板３１と一緒にベース１０の収容空間に収納される。
【００２９】
この構成によれば、扉５２がベース１０の開口１４をカバーする時、扉５２の掛止部材５４がベース１０の位置決め部材５５に掛合して固定されるので、扉５２がベース１０から移動することはない。
【００３０】
また、図５に示す、本発明に係るパソコンデスクの開閉装置においては、パソコンデスクを閉じた状態でロックしてもよく、キーをベース１０上のロック部材５７の錠穴５８に差し込んで回転させてフック５９を回しロックプレート５６に掛合させれば、扉５２をベース１０に固定することができる。
【００３１】
また、図７に示す、本発明に係るパソコンデスクの開閉装置においては、モニタ７０、キーボード８０、マウス等を配置することができ、その内、モニタ７０の裏面には固定部材７１が取り付けられ、該固定部材７１がモニタ用の固定ユニット６０に掛合して固定されることによって、モニタ７０を主動部材組２０のベース板２１に配置することができ、また、紐等によりモニタ７０を主動部材組２０のベース板２１又は開閉部材組５０の扉５２に固定しても良い。更に、従動板３１に阻止部材３３が設けられることから、キーボード８０及びマウスが主台５３から落下することはない。
【００３２】
上述したように、本発明に係るパソコンデスクの開閉装置は、扉５２を閉じる時、モニタ７０、キーボード８０、マウスをベース１０の収容空間に収納することができ、一方、扉５２を開けると、モニタ７０、キーボード８０、マウスを外部へ上昇させてパソコンデスクとして使用することができる。更に、ベース１０のフロントプレート１１に傾斜部１５が設けられることから、パソコンデスクとして使用する時、使用者の膝がデスクにぶつかることはなく、足をデスクの下方で自由に移動させることができる。
【産業上の利用可能性】
【００３３】
本発明は上記の構成を有することから、開閉装置を折り畳む時、扉の掛止部材がベースの位置決め部材に掛合固定されると共に、ロック部材のフックが錠穴に固定されることによって、扉をベースに固定することができることから、モニタや、キーボード、マウス等をきちんとベースの収容空間に収納することができるので、使用上の利便性を向上させることができる。
【符号の説明】
【００３４】
１０…ベース、
１１…フロントプレート、
１２…バックプレート、
１３…サイドプレート、
１４…開口、
１５…斜部、
１６…摺動溝、
２０…主動部材組、
２１…ベース板、
２２…アーム、
２３…軸、
３０…従動部材組、
３１…従動板、
３２…摺動部材、
３３…阻止部材、
４０…シリンダ、
４１…円筒部、
４２…伸縮軸、
５０…開閉部材組、
５１…ロ字形板、
５２…扉、
５３…主台、
５４…掛止部材、
５５…位置決め部材、
５６…ロックプレート、
５７…ロック部材、
５８…錠穴、
５９…フック、
６０…固定ユニット、
６１…固定孔、
７０…モニタ、
７１…固定部材、
８０…キーボード、
９０…足部。
【図１】
2013063270.tif 000003
【図２】
2013063270.tif 000004
【図３】
2013063270.tif 000005
【図４】
2013063270.tif 000006
【図５】
2013063270.tif 000007
【図６】
2013063270.tif 000008
【図７】
2013063270.tif 000009